(57)【要約】【課題】凝縮ダクト内を流れる空気と冷却水間の接触を増大して凝縮効率を向上させるとともに、凝縮ダクトの内部の水がドラムの内部に流入することを防止する乾燥装置を有するドラム洗濯機を提供する。【解決手段】送風ファンの吐出口とドラムの空気流入口を連結する吐出ダクトと、ドラムの空気排出口と送風ファンの吸入口を連結し、湿気を除去するための凝縮部を備えた凝縮ダクトとを含む乾燥装置を有するドラム洗濯機において、凝縮部は、冷却水を前記凝縮ダクトの内部に供給しながら分散させる冷却水分散部材と、凝縮水が気流とともに上昇することを防止するため、凝縮ダクト内に設けられる上昇制限突部とを含む。【選択図】　　　　図４
2004097780.tif 000002
【特許請求の範囲】
【請求項１】
送風ファンの吐出口とドラムの空気流入口を連結する吐出ダクトと、前記ドラムの空気排出口と前記送風ファンの吸入口を連結し、湿気を除去するための凝縮部を備えた凝縮ダクトとを含む乾燥装置を有するドラム洗濯機において、前記凝縮部は、
冷却水を前記凝縮ダクトの内部に供給しながら分散させる冷却水分散部材と、凝縮水が気流とともに上昇することを防止するため、前記凝縮ダクト内に設けられる上昇制限突部とを含むことを特徴とする乾燥装置を有するドラム洗濯機。
【請求項２】
前記冷却水分散部材は、一定の幅及び長さを有し、その上面には一定深さの貯留部が設けられ、その一面は前記凝縮ダクトの空気流動方向に交差するように前記凝縮ダクトの内側面に接触して固定され、前記冷却水分散部材が前記凝縮ダクトの内側面に接触する位置に、冷却水及び空気が通過する多数の通孔が形成されることを特徴とする請求項１に記載の乾燥装置を有するドラム洗濯機。
【請求項３】
前記冷却水分散部材は半円形の断面を有することを特徴とする請求項２に記載の乾燥装置を有するドラム洗濯機。
【請求項４】
前記冷却水分散部材は前記ドラムの空気排出口より上部に位置し、前記ドラムの空気排出口に対面する凝縮ダクトの内側面に固着されることを特徴とする請求項２に記載の乾燥装置を有するドラム洗濯機。
【請求項５】
前記上昇制限突部は前記凝縮ダクトの内側面から突出し、空気流動方向に交差する方向に延長されることを特徴とする請求項１に記載の乾燥装置を有するドラム洗濯機。
【請求項６】
前記凝縮ダクトは、前記凝縮ダクトの直線部に対して最小の偏向率を有し最大偏向率まで増加する屈曲部を有し、前記上昇制限突部は前記屈曲部の最大偏向率付近の凝縮ダクトの内側面に装着されることを特徴とする請求項５に記載の乾燥装置を有するドラム洗濯機。
【請求項７】
前記ドラム洗濯機は凝縮水貯留突部をさらに含み、前記凝縮水貯留突部は、前記上昇制限突部から落下する凝縮水を貯留するように、前記屈曲部の最小偏向率部付近の凝縮ダクトの内側面に設けられた前記上昇制限突部より低い位置に設けられることを特徴とする請求項６に記載の乾燥装置を有するドラム洗濯機。
【請求項８】
前記ドラム洗濯機は、冷却水を前記冷却水分散部材に供給するために前記凝縮ダクトに形成された凝縮水供給孔と、前記冷却水供給孔に連結される冷却水供給管とをさらに含むことを特徴とする請求項１に記載の乾燥装置を有するドラム洗濯機。
【請求項９】
前記凝縮ダクトの断面積は、空気の流速が上部に行くほど低くなるように、上部に行くほど増加することを特徴とする請求項１に記載の乾燥装置を有するドラム洗濯機。
【請求項１０】
洗濯機の凝縮部において、
凝縮ダクトと、
前記凝縮ダクトの内部の冷却水を分散させるため、前記凝縮ダクトの内側面に設けられる冷却水分散部材と、
前記凝縮ダクト内の湿気を凝縮させて水滴に形成させるため、前記凝縮ダクトの内側面の前記冷却水分散部材の上部に設けられる上昇制限部材とを含んでなることを特徴とする洗濯機の凝縮部。
【請求項１１】
前記凝縮部は、冷却水を前記冷却水分散部材に供給する冷却水供給管をさらに含み、前記冷却水分散部材は冷却水を収容するため屈曲部を含むことを特徴とする請求項１０に記載の洗濯機の凝縮部。
【請求項１２】
前記冷却水分散部材は通孔を含むことを特徴とする請求項１１に記載の洗濯機の凝縮部。
【請求項１３】
前記上昇制限部材は方形であることを特徴とする請求項１１に記載の洗濯機の凝縮部。
【請求項１４】
前記凝縮ダクトは、前記凝縮ダクトの直線部に対して偏向した屈曲部を含むことを特徴とする請求項１１に記載の洗濯機の凝縮部。
【請求項１５】
前記上昇制限部材は前記屈曲部の最大偏向率部付近の凝縮ダクト内に位置することを特徴とする請求項１４に記載の洗濯機の凝縮部。
【請求項１６】
前記冷却水分散部材は前記屈曲部の最大偏向率部の下部の前記凝縮ダクト内に位置することを特徴とする請求項１４に記載の洗濯機の凝縮部。
【請求項１７】
前記屈曲部は上部壁及び下部壁を含み、前記上部壁は前記下部壁より大きい曲率半径を有し、前記上昇制限部材は前記上部壁に位置し、前記冷却水分散部材は前記下部壁に位置することを特徴とする請求項１４に記載の洗濯機の凝縮部。
【請求項１８】
前記凝縮ダクトの断面積は上方に増加することを特徴とする請求項１４に記載の洗濯機の凝縮部。
【請求項１９】
前記洗濯機の凝縮部は、前記上昇制限部材と前記冷却水分散部材間に位置し、前記屈曲部の最大偏向率部の上部の前記凝縮ダクトに設けられる凝縮水貯留突部をさらに含み、前記凝縮水貯留突部は前記上昇制限部材から落下する水滴を貯留することを特徴とする請求項１４に記載の洗濯機の凝縮部。
【請求項２０】
前記洗濯機の凝縮部は、前記上昇制限部材と前記冷却水分散部材間に位置する凝縮水貯留突部をさらに含み、前記凝縮水貯留突部は前記上昇制限部材から落下する水滴を貯留することを特徴とする請求項１０に記載の洗濯機の凝縮部。
【請求項２１】
洗濯機の凝縮部において、
下端に蒸気流入口が設けられ上端に蒸気排出口が設けられる凝縮ダクトと、
前記凝縮ダクトの内部の冷却水を分散させるため、前記蒸気流入口付近に設けられる冷却水分散部材と、
前記凝縮ダクト内の湿気を凝縮させて水滴を形成するため、前記冷却水分散部材の上部に位置する上昇制限部材とを含んでなることを特徴とする洗濯機の凝縮部。
【請求項２２】
凝縮部内の蒸気の凝縮方法において、
蒸気を凝縮ダクト内で上昇させる段階と、
蒸気が前記凝縮ダクト内でそれ以上上昇することを遮断する段階と、
前記蒸気の全部を水に凝縮させる段階とを含んでなることを特徴とする凝縮部内の蒸気の凝縮方法。
【請求項２３】
前記方法は、蒸気が前記凝縮ダクトの下端から上端に上昇するにつれて前記凝縮ダクト内での流速を減少させる段階をさらに含むことを特徴とする請求項２２に記載の凝縮部内の蒸気の凝縮方法。
【請求項２４】
前記凝縮ダクトの直線部に対して前記凝縮ダクトの屈曲部の最大偏向率部の上部に上昇制限部材が位置し、前記遮断段階は前記凝縮ダクト内で蒸気が上昇することを前記上昇制限部材により遮断することを特徴とする請求項２２に記載の凝縮部内の蒸気の凝縮方法。
【請求項２５】
前記方法は、
前記凝縮ダクト内の凝縮液を貯留する段階と、
前記凝縮液を蒸気と接触させて前記凝縮ダクト内で上昇させる段階とをさらに含むことを特徴とする請求項２２に記載の凝縮部内の蒸気の凝縮方法。
【請求項２６】
前記凝縮ダクトの直線部に対して前記凝縮ダクトの屈曲部の最大偏向率部の下部に冷却水分散部材が位置し、前記蒸気の全部を凝縮させる段階は前記冷却水分散部材から供給された冷却水を蒸気と接触させることを特徴とする請求項２２に記載の凝縮部内の蒸気の凝縮方法。
【請求項２７】
凝縮ダクト内の所要冷却水の節減方法において、
凝縮ダクトから水滴流を落下させる段階と、
前記水滴を前記凝縮ダクト内で上昇する温蒸気で蒸発させ、この蒸発された水を上昇させる段階と、
前記蒸発された水蒸気がそれ以上上昇することが遮断して、前記水蒸気を水滴に凝縮させる段階とを含んでなることを特徴とする凝縮ダクト内の所要冷却水の節減方法。
【請求項２８】
前記方法は、
前記凝縮水を前記凝縮ダクト内の一定位置に貯留する段階と、
前記凝縮ダクト内の前記位置から水滴を蒸気と接触させて上昇させる段階とをさらに含むことを特徴とする請求項２７に記載の凝縮ダクト内の所要冷却水の節減方法。
【請求項２９】
前記方法、蒸気が前記凝縮ダクトの下端から上端に上昇するにつれて前記凝縮ダクト内での流速を減少させる段階をさらに含むことを特徴とする請求項２７に記載の凝縮ダクト内の所要冷却水の節減方法。
【請求項３０】
前記凝縮ダクトの直線部に対して前記凝縮ダクトの屈曲部の最大偏向率部の上部に上昇制限部材が位置し、前記蒸気のそれ以上上昇することを遮断する段階は、それ以上の蒸気上昇を前記上昇制限部材で遮断することを特徴とする請求項２７に記載の凝縮部内の蒸気の凝縮方法。
【請求項３１】
前記凝縮ダクトの直線部に対して前記凝縮ダクトの屈曲部の最大偏向率部の下部に冷却水分散部材が位置し、前記水滴流を落下させる段階は水滴流を前記冷却水分散部材で分散させることを特徴とする請求項２７に記載の凝縮部内の蒸気の凝縮方法。
【請求項３２】
前記冷却水分散部材の直上の前記凝縮ダクト内に冷却水供給管が延長され、前記水滴流を落下させる段階は、前記冷却水供給管から冷却水を前記冷却水分散部材に供給する段階をさらに含むことを特徴とする請求項３１に記載の凝縮部内の蒸気の凝縮方法。
【請求項３３】
前記水滴を蒸発させる段階は、前記凝縮ダクトの内側壁に沿って上昇する前記水滴を分散させる段階をさらに含むことを特徴とする請求項２７に記載の凝縮部内の蒸気の凝縮方法。
【発明の詳細な説明】
【０００１】
【発明の属する技術分野】
本発明はドラム洗濯機に係り、より詳しくは洗濯物の乾燥のための乾燥装置を備えたドラム洗濯機に関するものである。
【０００２】
【従来の技術】
一般に、ドラム洗濯機の乾燥装置は、ヒーターにより加熱された空気をドラムの内部に供給して洗濯物を加熱させることで、洗濯物の水分を蒸発させ、蒸発された水分は凝縮させて排出させることにより、洗濯物を乾燥させるものである。
【０００３】
かかる乾燥装置はドラムの内部に熱風を供給するためのもので、ヒーターを内蔵し、一端が送風ファンの吐出口に連結され、他端がドラムの内部に連通するように連結される吐出ダクトを備え、ドラムの内部で生じた湿蒸気を送風ファン側に案内する過程で水分を凝縮させて排出するためのものであり、一端がドラムの内部に連通するように連結され、他端が送風ファンの吸入口に連結され、その内部に凝縮器を内蔵する凝縮ダクトを有する。
【０００４】
図１に示すように、従来の乾燥装置の凝縮ダクト１は、ドラム２の後面下部に形成された空気排出口３とドラム２の後面上部に形成される送風ファン４の吸入口５との間に延長され、ドラム２の後面に気密に装着される。そして、凝縮器は、凝縮ダクト１の内部に冷却水を噴射するため、凝縮ダクト１の内側上部に設けられる冷却水噴射ノズル６と、該冷却水噴射ノズル６に冷却水を供給する冷却水供給管４とからなる。
【０００５】
このような構成は、送風ファン４が動作するとき、ドラム２の空気排出口３を通して排出されるドラム２内の湿蒸気が凝縮ダクト１に沿って上昇して送風ファン４側に吸入されるようにしたもので、湿蒸気が凝縮ダクト１の内部に沿って上昇する過程で、冷却水噴射ノズル６を通して下部に噴射される冷水により水分が凝縮して流下するようにして湿気を除去する。
【０００６】
しかし、このような従来のドラム洗濯機の乾燥装置は、冷却水を噴射する噴射ノズル６が凝縮ダクト１の内側上部に取り付けられる関係で、下部に噴射される水の一部が上昇気流により送風ファン４側に吸い込まれるため、洗濯物の乾燥効率が低下する問題点があった。
【０００７】
【発明が解決しようとする課題】
したがって、本発明のこのような従来の問題点を解決するためになされたもので、その目的は、凝縮ダクト内で流れる空気と冷却水の接触を増やして凝縮効率を向上させるとともに、凝縮ダクトの内部の水がドラムの内部に流入することを防止する乾燥装置を有するドラム洗濯機を提供することにある。
【０００８】
本発明のほかの目的は、凝縮ダクトの内部に供給される冷却水の使用量を減らすための乾燥装置を有するドラム洗濯機を提供することにある。
【０００９】
【課題を解決するための手段】
前記のような目的を達成するため、本発明は、送風ファンの吐出口とドラムの空気流入口を連結する吐出ダクトと、前記ドラムの空気排出口と前記送風ファンの吸入口を連結し、湿気を除去するための凝縮器を備えた凝縮ダクトとを含む乾燥装置を有するドラム洗濯機を提供する。前記凝縮器は、冷却水を前記凝縮ダクトの内部に供給しながら分散させる冷却水分散部材と、凝縮水が気流とともに上昇することを防止するため、前記凝縮ダクト内に設けられる上昇制限突部とを含む。
【００１０】
前記冷却水分散部材は、一定の幅及び長さを有し、その上面に一定深さの貯留部を形成するように半円形断面を有する。前記冷却水分散部材の一面は前記凝縮ダクト内の気流を部分的に遮断するため前記凝縮ダクトの内側面に位置することができる。前記冷却水分散部材が前記凝縮ダクトの内側面に接触する位置の前記冷却水分散部材には、前記冷却水及び空気が通過する多数の通孔が形成できる。
【００１１】
また、前記冷却水分散部材は前記ドラムの空気排出口の直上部に位置でき、前記ドラムの空気排出口に対面する凝縮ダクトの内側面に固着できる。
【００１２】
前記上昇制限突部は、その全長部が気流方向に交差するように、前記凝縮ダクトの内側面から突出できる。前記凝縮ダクトは、一定の曲率を有し得、前記上昇制限突部は前記凝縮ダクトの曲率半径が比較的大きい部位に装着できる。
【００１３】
また、前記ドラム洗濯機は、凝縮水貯留突部をさらに含む。前記凝縮水貯留突部は、前記上昇制限突部から落下する凝縮水を貯留するように、前記上昇制限突部の直下に位置できる。
【００１４】
また、前記ドラム洗濯機は、冷却水を前記冷却水分散部材に供給するために前記凝縮ダクトに形成された凝縮水供給孔と、前記冷却水供給孔に連結される冷却水供給管とを含む。
【００１５】
また、前記凝縮ダクトの下端から上端までの断面積は、空気の流速が上部に行くほど低くなるように、上部に行くほど増加する。
【００１６】
【発明の実施の形態】
以下、本発明の好ましい実施例を添付図面に基づいて詳細に説明する。
【００１７】
図２及び図３に示すように、本発明によるドラム洗濯機は、洗濯水の貯水のため本体１０の内部に設けられるドラム１１と、ドラム１１の内部に回転可能に取り付けられ、壁面に多数の脱水孔が形成された円筒形の洗濯槽１２とを有する。そして、ドラム１１の下部には、ドラム１１の内部の洗濯槽１２を正方向又は逆方向に回転させながら洗濯、すすぎ、脱水動作を可能にする駆動モータ１３が設けられる。ドラム１１及び洗濯槽１２の前方には、使用者が本体１０の前方から洗濯物を引き出すことを可能にする開口１４が設けられ、本体１０の前方には、ドラム１１の開口１４を開平するためのドア１５が取り付けられる。
【００１８】
ドラム１１の上部には、ドラム１１の内部に洗濯水を供給するとともに給水過程で洗剤を溶解させるため、給水バルブ２１、２２、給水管２３、洗剤溶解装置２４を含む給水装置２９が設けられる。ドラム１１の下部には、ドラム１１の内部の洗濯水を強制に排水させるため、排水管３１と排水ポンプ３２を含む排水装置３０が設けられる。
【００１９】
また、本発明は、洗濯物の脱水動作後に洗濯物を乾燥させるための乾燥装置４０を備えている。この乾燥装置４０は、ドラム１１の上部に取り付けられる送風ファン４１と、該送風ファン４１の吐出口４１ｂとドラム１１の開口１４の上側に形成された空気流入口１７との間に連結される吐出ダクト４２と、ドラム１１の後方下部に形成される空気排出口１８と送風ファン４１の吸入口４１ａとの間に連結されるように、ドラム１１の後方に装着される凝縮ダクト４３とを含む。
【００２０】
また、乾燥装置４０は、ドラム１１の内部に温風を供給するため、吐出ダクト４２の内部に設けられるヒーター４４と、洗濯物の乾燥により生じる湿蒸気が凝縮ダクト４３を通して上昇する過程で水分を凝縮させて除去するため、凝縮ダクト４３に設けられる凝縮器とを含む。このような構成は、送風ファン４１の動作により送風される空気をヒーター４４により加熱させた後、ドラム１１の内部に供給して内部の洗濯物を加熱、乾燥させるためのもので、洗濯物の乾燥により生成した湿蒸気を凝縮ダクト４３を通して送風ファン４１側に吸入する過程で空気中の水分を除去するためのものである。
【００２１】
図４ないし図６に示すように、凝縮ダクト４３は、ドラム１１の後方下側に形成される空気排出口１８とドラム１１の上部に設けられた送風ファン４１の吸入口４１ａとの間に連結される流路を形成するもので、所定の曲率で屈曲し、開放した一面がドラム１１の後面と送風ファン４１の吸入口４１ａに密着して付着される。
【００２２】
凝縮ダクト４３に取り付けられる凝縮器は、凝縮ダクト４３の内側下部に設けられる冷却水分散部材５１と、該冷却水分散部材５１に冷却水を供給する冷却水供給管５２と、凝縮水の上昇を制限するため、凝縮ダクト４３の上部に設けられる上昇制限突部５５と、該上昇制限突部５５から落下する凝縮水が溜まるようにする凝縮水貯留突部５６とを含む。
【００２３】
図５ないし図７に示すように、冷却水分散部材５１は、所定の幅及び長さを有し、上面に所定量の水が溜まる所定深さの貯留部５１ａが形成されるように、断面半円形に形成される。また、冷却水分散部材５１は、ドラム１１の空気排出口１８の上部で凝縮ダクト４３の内部を上昇する空気の流動方向に交差するように配置され、その一側辺がドラム１１の空気排出口１８に対面する凝縮ダクト４３の内面に固定される（図５参照）。
【００２４】
図７に示すように、冷却水分散部材５１は、凝縮ダクト４３の内面に接する部位に、水及び空気の流通ができるように、多数の離隔した通孔５４が形成される。そして、この冷却水分散部材５１の貯留部５１ａに冷却水を供給するため、凝縮ダクト４３の側面には冷却水供給孔５３が形成され、この冷却水供給孔５３には、給水装置２０に連結された冷却水供給管５２が連結される。
【００２５】
このような冷却水分散部材５１の構成は、凝縮ダクト４３の内部で上方に流動する空気が通孔５４を通過するようにすることにより、貯留部５１ａに溜まっている冷却水が通孔５４を通して流下しようとするとき、冷却水が上昇気流により凝縮ダクト４３の内面に沿って上昇しながら分散されるようにするもので、これにより空気と冷却水の接触面が増大して凝縮効率を高めたものである。ここで、冷却水分散部材５１を空気排出口１８に対面する凝縮ダクト４３の内面に取り付けたのは、上昇気流の流速が速い側に冷却水分散部材５１を配置することにより、通孔５４を通過する空気の速い流速を用いて冷却水の上昇分散効果を高めるためである。
【００２６】
冷却水により凝縮された凝縮水が上昇することを制限する上昇制限突部５５は、図４及び図６に示すように、凝縮ダクト４３の上部内面に突設され、空気の流動方向に交差するように延長される。したがって、上昇する微細凝縮水が上昇することが上昇制限突部５５により阻止されるので、送風ファン４１の吸入口４１ａに流入される空気中の含水率が低下して、乾燥効率を高めることになる。この効果を増大させるためには、凝縮ダクト４３の曲率が大きい部位で速く流動する空気の流動特性に鑑み、凝縮ダクト４３の曲率半径が大きい部位の内面に上昇制限突部５５を取り付けることが好ましい。また、凝縮ダクト４３は、上部の断面積が下部の断面積より大きくして、上部に行くほど上昇空気の流速が遅くなるようにすることにより、凝縮水が送風ファン４１の吸入口４１ａに流入することを防止する。
【００２７】
凝縮水貯留突部５６は凝縮ダクト４３の曲率半径が上昇制限突部５５付近の曲率半径より小さい部位、つまり上昇制限突部５５より下部に設けられ、その形態は上昇制限突部５５に似ている。この凝縮水貯留突部５６は、上昇制限突部５５の下面にかかって凝縮した凝縮水が落下して凝縮水貯留突部５６の上面に溜まるようにしたものであり、所定量以上に溜まった凝縮水が上昇気流により再上昇するようにして、凝縮水と空気の接触面を増大させて凝縮効果をさらに向上させるものである。
【００２８】
つぎに、このような本発明によるドラム洗濯機の洗濯物の乾燥動作を説明する。
【００２９】
洗濯物の脱水が完了した状態で乾燥動作を行うとき、洗濯槽１２の内部の洗濯物が落下するように、駆動モータ１３の動作により洗濯槽１２が徐々に回転する。この状態で、送風ファン４１が動作すると、ドラム１１の内部空気は凝縮ダクト４３を通して送風ファン４１側に吸入された後、吐出ダクト４２を通して再びドラム１１及び洗濯槽１２の内部に吐き出される循環過程を繰り返す。この際、吐出ダクト４２の空気はヒーター４４により加熱されたままで洗濯槽１２の内部に流入し、洗濯槽１２の内部の洗濯物は温風により乾燥される。乾燥過程で発生する湿蒸気は凝縮ダクト４３に流入して送風ファン４１側に流動する過程で、凝縮ダクト４３の内部の凝縮器により水分が凝縮して除去される。
【００３０】
凝縮ダクト４３に湿蒸気が流れているうち、凝縮ダクト４３の内部の冷却水分散部材５１には冷却水供給間５２から冷却水が供給され、冷却水は冷却水分散部材５１の貯留部５１ａに所定量溜まった状態で通孔５４を通して流下する。この際、凝縮ダクト４３の内部で高流速で流れる空気がこの通孔５４を通して上昇するため、通孔５４を通して流下しようとする水が上昇気流に乗って所定区間で凝縮ダクト４３の内壁に沿って上昇しながら分散される。また、凝縮ダクト４３の内壁に沿って上昇する水は所定区間だけ上昇してから自由落下する。この水の分散及び自由落下により、冷却水と凝縮ダクト４３の内部で流れる湿蒸気が接触することにより、空気中の水分が凝縮して除去される。また、上昇空気中の水分は冷たい冷却水分散部材５１の下面に接触して凝縮する。そして、凝縮水は冷却水とともに下部に流れて排出される。
【００３１】
凝縮動作の際、微細な凝縮水は上昇気流に乗り一緒に上昇するが、この凝縮水は上昇制限突部５５の下面にかかりそれ以上の上昇が阻止され、上昇制限突部５５の下面に水滴として形成される。したがって、送風ファン４１側に流入される空気には水分が含有されなくなるので、洗濯物の乾燥効果が従来の洗濯機より著しく向上できる。
【００３２】
また、上昇制限突部５５に結ばれた水滴は落下して下部の凝縮水貯留突部５６に溜まり、この水は上昇気流により再び飛散しながら上昇して上昇制限突部５５にかかる動作を繰り返す。この循環動作により、上昇気流と水の接触が増大するので、凝縮ダクト４３の内部で流れる空気の凝縮効果がさらに向上して乾燥効率を高める。
【００３３】
【発明の効果】
以上説明したように、本発明による乾燥装置を有するドラム洗濯機は、凝縮ダクトの内部で冷却水の分散を誘導する冷却水分散部材を凝縮ダクトの下部に設けるだけでなく、上昇制限突部により、凝縮水の上昇を阻止することができるため、凝縮ダクトの内部の水がドラムの内部に流入する現象を防止して乾燥効率を高める効果がある。
【００３４】
また、本発明は、冷却水が上昇気流により凝縮ダクトの内面に沿って上昇しながら分散されるため、凝縮ダクトの内部で流れる空気と冷却水の接触が増大して凝縮効率を高める効果がある。
【００３５】
また、本発明は、冷却水が気流の上昇動作により凝縮ダクトの内部で上昇しながら分散し、落下する凝縮水が再び上昇する構造であるため、凝縮ダクトの内部に供給される冷却水の使用量を減らす効果がある。この際、凝縮水を排水装置３０内の排水ポンプ３２でポンピングすると、凝縮水はドラム１１内に落下する。
【図面の簡単な説明】
【図１】従来のドラム洗濯機の乾燥装置の凝縮ダクトの構造を示す斜視図である。
【図２】本発明によるドラム洗濯機の構造を示す斜視図である。
【図３】図２のドラム洗濯機の構造を示す断面図である。
【図４】図２のドラム洗濯機の乾燥装置の凝縮器の構造を示す斜視図である。
【図５】本発明によるドラム洗濯機の乾燥装置の凝縮器及び凝縮ダクトの構造を示す断面図である。
【図６】本発明によるドラム洗濯機の乾燥装置の凝縮ダクトの構造を示す斜視図である。
【図７】本発明によるドラム洗濯機の乾燥装置の冷却水分散部材の構造を示す斜視図である。
【符号の説明】
１０　本体
１１　ドラム
１２　洗濯槽
２０　給水装置
３０　排水装置
４０　乾燥装置
４１　送風ファン
４２　吐出ダクト
４３　凝縮ダクト
４４　ヒーター
５１　冷却水分散部材
５２　冷却水供給管
５４　通孔
５５　上昇制限突部
５６　凝縮水貯留突部
【図１】
2004097780.tif 000003
【図２】
2004097780.tif 000004
【図３】
2004097780.tif 000005
【図４】
2004097780.tif 000006
【図５】
2004097780.tif 000007
【図６】
2004097780.tif 000008
【図７】
2004097780.tif 000009